【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
複数の色光を色光毎に画像情報に応じて変調する複数の光変調装置と、前記光変調装置で変調された各色光を合成する色合成光学素子とが一体的に設けられた光学装置であって、
前記光変調装置を保持し、該光変調装置の画像形成領域に対応する部分に開口を有してなる保持枠と、
前記色合成光学素子の光束入射端面と交差する一対の端面のうち、少なくとも一方に固定される台座と、
前記保持枠と前記台座側面との間に配置される保持部材と、を備え、
前記台座と前記保持部材とは、熱伝導性金属または熱伝導性樹脂で構成され、
前記光変調装置は、前記保持枠と前記保持部材とを介して、前記台座側面に対して固定されていることを特徴とする光学装置。
【請求項２】
請求項１に記載の光学装置において、
前記熱伝導性金属または熱伝導性樹脂の熱伝導率は３Ｗ／（ｍ・Ｋ）以上であることを特徴とする光学装置。
【請求項３】
請求項１または請求項２に記載の光学装置において、
前記保持枠の少なくとも２箇所には孔が形成され、
前記保持部材は、前記保持枠の開口と対応する位置に開口が形成された矩形板状体と、該矩形板状体から突設され、前記保持枠の前記孔に挿入される突起部と、を備えることを特徴とする光学装置。
【請求項４】
請求項１または請求項２に記載の光学装置において、
前記保持部材は、前記保持枠の開口と対応する位置に開口が形成された矩形板状体と、該矩形板状体の角隅部分に位置し、該矩形板状体の端縁に沿って延びるように突設され、前記保持枠の外周を保持する正面略Ｌ字状の起立片と、を備えることを特徴とする光学装置。
【請求項５】
請求項４に記載の光学装置において、
前記起立片は、前記矩形板状体の四隅に突設されることを特徴とする光学装置。
【請求項６】
請求項４に記載の光学装置において、
前記起立片は、前記矩形板状体の互いに平行な一対の辺に沿って設けられ、前記矩形板状体の前記辺と略同じ長さを有することを特徴とする光学装置。
【請求項７】
請求項１から請求項６のいずれかに記載の光学装置において、
前記保持部材は、板状の光学素子と係合する係合溝を備えることを特徴とする光学装置。
【請求項８】
請求項１から請求項６のいずれかに記載の光学装置において、
前記保持部材は、光学素子を固定するための支持面を有していることを特徴とする光学装置。
【請求項９】
請求項１から請求項６のいずれかに記載の光学装置において、
前記保持部材には、第１の光学素子を固定するための第１の支持面と、第２の光学素子を固定するための第２の支持面とが形成され、前記第１の支持面と前記第２の支持面とは、互いに面外方向位置が異なるように構成されていることを特徴とする光学装置。
【請求項１０】
請求項１から請求項９のいずれかに記載の光学装置において、
前記台座は、前記保持部材が接着固定される端面の一部に凹部が形成されていることを特徴とする光学装置。
【請求項１１】
請求項１から請求項１０のいずれかに記載の光学装置において、
前記保持枠と、前記保持部材と、前記台座とは、熱伝導性を有する接着剤によって固定されていることを特徴とする光学装置。
【請求項１２】
請求項１１に記載の光学装置において、
前記接着剤は、金属材料を含んで構成されていることを特徴とする光学装置。
【請求項１３】
請求項１から請求項１２のいずれかに記載の光学装置において、
前記台座は、前記色合成光学素子の光束入射端面と交差する一対の端面のうち、一方にのみ固定され、
他方の前記端面の近傍には、対向する前記保持部材同士を連結する連結部材が設けられており、
前記連結部材は、熱伝導性金属または熱伝導性樹脂で構成されていることを特徴とする光学装置。
【請求項１４】
請求項１３に記載の光学装置において、
前記台座、前記保持部材、前記連結部材のうち、少なくとも２つが、一体成形されていることを特徴とする光学装置。
【請求項１５】
請求項１から請求項１４のいずれかに記載の光学装置において、
前記保持枠は、熱伝導性金属または熱伝導性樹脂によって構成されていることを特徴とする光学装置。
【請求項１６】
請求項１から請求項１５のいずれかに記載の光学装置において、
前記保持枠は、前記光変調装置を収納する凹形枠体と、収納された光変調装置を押圧固定する支持板とを備えて構成されていることを特徴とする光学装置。
【請求項１７】
請求項１から請求項１６のいずれかに記載の光学装置において、
前記光変調装置は、一対の基板と、前記一対の基板の少なくとも一方に固着された光透過性防塵板と、を備えており、前記光透過性防塵板の熱伝導率は、前記基板の熱伝導率よりも高いことを特徴とする光学装置。
【請求項１８】
請求項１から請求項１７のいずれかに記載の光学装置において、
前記保持部材と前記台座側面との間には、前記色合成光学素子を形成する物質より熱伝導率の高い光透過性板が設けられており、前記光透過性板と前記台座とは、熱伝導可能に結合されていることを特徴とする光学装置。
【請求項１９】
請求項１から請求項１８のいずれかに記載の光学装置において、
前記台座は、強制冷却を行う放熱装置に接続されていることを特徴とする光学装置。
【請求項２０】
請求項１から請求項１９のいずれかに記載の光学装置と、前記光学装置によって形成された画像を投写する投写レンズと、を備えたことを特徴とするプロジェクタ。
【請求項２１】
請求項２０に記載のプロジェクタにおいて、
光学系を構成する複数の光学素子を収納する光学部品用筐体を備え、
前記光学部品用筐体は熱伝導性部材によって構成され、
前記台座は、該光学部品用筐体に固定されていることを特徴とするプロジェクタ。
【請求項２２】
請求項２１に記載のプロジェクタにおいて、
前記光学装置と前記光学部品用筐体は、外装ケースに収納されており、
前記外装ケースは熱伝導性部材によって構成され、
前記光学部品用筐体は前記外装ケースに熱伝導可能な状態で結合されていることを特徴とするプロジェクタ。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】削除
【補正の内容】
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】
【手続補正２５】
【補正対象書類名】明細書
【補正対象項目名】００４５
【補正方法】削除
【補正の内容】
【手続補正２６】
【補正対象書類名】明細書
【補正対象項目名】００４６
【補正方法】削除
【補正の内容】
【手続補正２７】
【補正対象書類名】明細書
【補正対象項目名】００４７
【補正方法】削除
【補正の内容】
【手続補正２８】
【補正対象書類名】明細書
【補正対象項目名】００４８
【補正方法】削除
【補正の内容】
【手続補正２９】
【補正対象書類名】明細書
【補正対象項目名】００４９
【補正方法】削除
【補正の内容】
【手続補正３０】
【補正対象書類名】明細書
【補正対象項目名】００５０
【補正方法】削除
【補正の内容】
【手続補正３１】
【補正対象書類名】明細書
【補正対象項目名】００５１
【補正方法】削除
【補正の内容】
【手続補正３２】
【補正対象書類名】明細書
【補正対象項目名】００５２
【補正方法】削除
【補正の内容】
【手続補正３３】
【補正対象書類名】明細書
【補正対象項目名】００５３
【補正方法】削除
【補正の内容】
【手続補正３４】
【補正対象書類名】明細書
【補正対象項目名】００５４
【補正方法】削除
【補正の内容】
【手続補正３５】
【補正対象書類名】明細書
【補正対象項目名】００５５
【補正方法】削除
【補正の内容】
【手続補正３６】
【補正対象書類名】明細書
【補正対象項目名】００５６
【補正方法】削除
【補正の内容】
【手続補正３７】
【補正対象書類名】明細書
【補正対象項目名】００５７
【補正方法】削除
【補正の内容】
【手続補正３８】
【補正対象書類名】明細書
【補正対象項目名】００５８
【補正方法】削除
【補正の内容】
【手続補正３９】
【補正対象書類名】明細書
【補正対象項目名】００５９
【補正方法】削除
【補正の内容】
【手続補正４０】
【補正対象書類名】明細書
【補正対象項目名】００６０
【補正方法】変更
【補正の内容】
【００６０】
以上に述べた本発明に係る光学装置は、当該光学装置によって形成された画像を投写する投写レンズを備えたプロジェクタに採用することが可能である。本発明の光学装置をこのようなプロジェクタに採用すれば、光変調装置の冷却性能が改善されているため、光変調装置の温度上昇による動作不良を防止することができ、よって、高い画像品質を維持することが可能となる。また、光源からの光束を増やすことができるため、スクリーン等の投写面上に投写される画像の明るさを増加させることが可能となる。さらに、光学装置の冷却にファンを用いる場合は、ファンを小型化することができるため、プロジェクタの小型化をも図ることが可能となる。
【手続補正４１】
【補正対象書類名】明細書
【補正対象項目名】０１１７
【補正方法】変更
【補正の内容】
【０１１７】
このような第３実施形態によれば、第１実施形態の説明で述べた前記(１)、(２)、（４）〜（９）と同様の効果を得ることが可能である。
また、起立片４４７Ｃが矩形板状体４４６Ａの角隅部分に位置しており、該矩形板状体４４６Ａの端縁に沿って延びるように突設されており、この起立片４４７Ｃと保持枠４４３とが熱伝導性を有する接着剤によって固定されているため、液晶パネル４４１Ｒ，４４１Ｇ，４４１Ｂや偏光板４４２で発生する熱を、効率良く逃がすことが可能となる。このような構造は、放熱性能の向上に寄与している。また、起立片４４７Ｃが矩形板状体４４６Ａの互いに平行な一対の辺に沿って設けられ、前記矩形板状体の前記辺と略同じ長さを有しているので、保持枠４４３と保持部材４４６との接触部分をより大きくすることができ、よって、放熱性能をさらに向上することが可能となる。
【手続補正４２】
【補正対象書類名】明細書
【補正対象項目名】符号の説明
【補正方法】変更
【補正の内容】
【符号の説明】
１  プロジェクタ
４４１，４４１Ｒ，４４１Ｇ，４４１Ｂ  液晶パネル
４４２  光束入射側および射出側の偏光板
４４３  保持枠
４４３Ｄ  孔
４４３Ｃ  開口部
４４４Ａ  凹形枠体
４４４Ｂ  支持板
４４５  台座
４４５Ａ  凹部
４４５Ｂ  取付部
４４６  保持部材
４４６Ａ  矩形板状体
４４６Ｂ  開口部
４４６Ｃ  係合溝
４４６Ｄ  起立片であるリブ
４４６Ｆ  凸部
４４６Ｋ  支持片
４４６Ｍ  支持面
４４６Ｍ１  支持面
４４７Ａ  突起部であるピン
４４７Ｂ，４４７Ｃ  起立片
４４８Ａ，４４８Ｂ  楔状スペーサ
４５  クロスダイクロイックプリズム
４７  光学部品用筐体
４７３  筐体の取付部
【手続補正４３】
【補正対象書類名】図面
【補正対象項目名】図３６
【補正方法】変更
【補正の内容】
【図３６】
2003121937.tif 000001